(57)【要約】【課題】設置が簡単で、利便性が良い監視カメラシステムの提供。【解決手段】監視画像を見る無線通信端末において、位置情報取得手段、所定の位置になった場合に監視カメラに自動発呼する制御手段から構成される。監視カメラ装置はこの無線通信端末からの着信により、近距離無線通信部を一定時間動作させる制御部から構成される。【選択図】        図１
2004200998.tif 000002
【特許請求の範囲】
【請求項１】
公衆無線基地局と無線通信回線を介して通信する画像通信機能を有する無線通信端末と無線監視カメラ装置からなる監視カメラシステムにおいて、
前記無線通信端末に、近距離無線通信手段と、位置情報取得手段と、前記無線監視カメラ装置に制御信号を送信する制御信号送信手段と、前記無線通信端末が所定の位置にいることを検出して、前記制御信号送信手段から前記制御信号を送信させる制御手段を設け、
前記無線監視カメラ装置に、近距離無線通信手段と、前記無線通信端末から送信される制御信号を受信する制御信号受信手段と、前記制御信号を受信すると、前記近距離無線通信手段を所定の時間動作するように制御する制御手段を設けたことを特徴とする監視カメラシステム。
【請求項２】
前記監視カメラシステムにおいて、
前記無線通信端末に前記無線通信端末の所定の操作により、前記近距離無線通信手段を所定の時間動作するように制御する制御手段を設けたことを特徴とする請求項１記載の監視カメラシステム。
【請求項３】
前記監視カメラシステムにおいて、
前記無線通信端末に、前記無線通信端末が所定の位置にいることを検出した場合は、前記近距離無線通信手段を所定の時間動作するように制御する制御手段を設けたことを特徴とする請求項１記載の監視カメラシステム。
【請求項４】
前記監視カメラシステムにおいて、
前記無線通信端末が所定の位置にいることを検出した場合は、前記無線通信端末と前記無線監視カメラ装置は前記近距離無線通信手段により画像通信を行うことを特徴とする請求項１ないし３いずれか記載の監視カメラシステム。
【請求項５】
前記監視カメラシステムにおいて、
前記位置情報取得手段は全地球測位システム（ＧＰＳ）であることを特徴とする請求項１ないし４いずれか記載の監視カメラシステム。
【発明の詳細な説明】
【０００１】
【発明の属する技術分野】
本発明は、無線通信端末を画像の表示端末として使用する監視カメラシステムに関する。
【０００２】
【従来の技術】
従来、画像表示機能を有する無線通信端末と監視カメラ装置からなる監視カメラシステムがあった。
【０００３】
ところで、無線通信端末からの発信者番号やＩＤ照合で監視カメラを動作させるものがある（例えば、特許文献１参照。）。
【０００４】
【特許文献１】
特開２００１−２６６２９６号公報
【０００５】
【発明が解決しようとする課題】
しかしながら、従来の監視カメラシステムは監視カメラ装置の設置が面倒であった。また、監視カメラ装置の通信手段が公衆無線通信回線を使用するものは、常に、通信料金がかかる。これは画像を表示する無線通信端末の操作者が監視カメラ装置の近くにいる場合、例えば、家の中に監視カメラ装置を設置して、家の中に入る前に玄関先から画像を見る場合でも通信料金がかかる。このような時は、別の無線通信手段を使用したいものである。
【０００６】
また、公衆無線通信手段と別の無線通信手段の２つで画像通信を行えるものでも、２つの無線通信手段を動作させたり、通信手段を切り替えたりするため、特に監視カメラ装置の消費電流、または無線通信端末の操作が複雑である。
【０００７】
以上のような多くの問題があった。
【０００８】
本発明は、以上の点に着目してなされたもので、監視画像を見る無線通信端末において、位置情報取得手段、所定の位置になった場合に監視カメラに自動発呼する制御手段から構成され、監視カメラ装置はこの無線通信端末からの着信により、近距離無線通信部を一定時間動作させる制御部から構成される監視カメラシステムを提供することを目的とする。
【０００９】
【課題を解決するための手段】
この発明は下記の構成を備えることにより上記課題を解決できるものである。
【００１０】
本発明の、請求項１の発明では、公衆無線基地局と無線通信回線を介して通信する画像通信機能を有する無線通信端末と無線監視カメラ装置からなる監視カメラシステムにおいて、前記無線通信端末に、近距離無線通信手段と、位置情報取得手段と、前記無線監視カメラ装置に制御信号を送信する制御信号送信手段と、前記無線通信端末が所定の位置にいることを検出して、前記制御信号送信手段から前記制御信号を送信させる制御手段を設け、前記無線監視カメラ装置に、近距離無線通信手段と、前記無線通信端末から送信される制御信号を受信する制御信号受信手段と、前記制御信号を受信すると、前記近距離無線通信手段を所定の時間動作するように制御する制御手段を設けた。
【００１１】
請求項２の発明は、請求項１の監視カメラシステムにおいて、前記無線通信端末に前記無線通信端末の所定の操作により、前記近距離無線通信手段を所定の時間動作するように制御する制御手段を設けた。
【００１２】
請求項３の発明は、請求項１の監視カメラシステムにおいて、前記無線通信端末に、前記無線通信端末が所定の位置にいることを検出した場合は、前記近距離無線通信手段を所定の時間動作するように制御する制御手段を設けた。
【００１３】
請求項４の発明は、請求項１ないし３いずれかの監視カメラシステムにおいて、前記無線通信端末が所定の位置にいることを検出した場合は、前記無線通信端末と前記無線監視カメラ装置は前記近距離無線通信手段により画像通信を行うようにした。
【００１４】
請求項５の発明は、請求項１ないし４いずれかの監視カメラシステムにおいて、前記位置情報取得手段は全地球測位システム（ＧＰＳ）を使用した。
【００１５】
【発明の実施の形態】
図１は本発明を実施した監視カメラシステムのシステム構成図である。
【００１６】
本発明の実施例として、公衆無線通信の無線媒体がＩＭＴ−２０００、及び近距離無線通信の無線媒体がＢｌｕｅｔｏｏｔｈの場合を例にして説明する。
【００１７】
図１において、１０１は公衆網、１０２、１０３は公衆網に接続されている通信回線、１０４、１０５は通信回線１０２，１０３を収容し、無線通信端末、監視カメラ装置と無線通信を行う無線基地局、１０６は無線通信端末、１０７は無線通信機能を持った監視カメラ装置である。
【００１８】
図２は無線通信端末１０６のブロック図である。
【００１９】
図２において、２０１は無線通信端末本体部、２０２は送受信を行うＲＦ部、２０３は電波を送受信するアンテナ、２０４は送信データの変調及び、受信データの復調を行う変復調部、２０５はＩＭＴ−２０００のレイヤ１からレイヤ３までの送信信号処理を行う送信処理部、２０６はＩＭＴ−２０００のレイヤ１からレイヤ３までの受信信号処理を行う受信処理部、２０７はデータ通信を行うさいのデータの誤り検出、訂正処理を行うデータ通信処理部、２０８は各種の制御処理を行う制御部、２０９はＢｌｕｅｔｏｏｔｈの送受信を行うＲＦ部、２１０は電波を送受信するアンテナ、２１１はＢｌｕｅｔｏｏｔｈの送信データの変調及び、受信データの復調を行う変復調、及びその他のベースバンド信号処理を行うベースバンド処理部、２１２はＢｌｕｅｔｏｏｔｈでデータ通信を行うさいのデータの誤り検出、訂正処理を行うデータ通信処理部、２１３は監視カメラ装置１０７と制御信号の通信を行う制御信号通信処理部、２１４は圧縮された画像信号の伸張処理を行う画像信号伸張処理部、２１５はＧＰＳ受信部、２１６は通信衛星からのＧＰＳ信号を受信するためのアンテナ、２１７はＧＰＳ受信部２１５で受信したＧＰＳ信号から位置情報を算出する位置算出部、２１８は無線通信端末の操作部、２１９は無線通信端末の表示部である。
【００２０】
図３は監視カメラ装置１０７のブロック図である。
【００２１】
図３において、３０１は監視カメラ装置本体部、３０２は送受信を行うＲＦ部、３０３は電波を送受信するアンテナ、３０４は送信データの変調及び、受信データの復調を行う変復調部、３０５はＩＭＴ−２０００のレイヤ１からレイヤ３までの送信信号処理を行う送信処理部、３０６はＩＭＴ−２０００のレイヤ１からレイヤ３までの受信信号処理を行う受信処理部、３０７はデータ通信を行うさいのデータの誤り検出、訂正処理を行うデータ通信処理部、３０８は各種の制御処理を行う制御部、３０９はＢｌｕｅｔｏｏｔｈの送受信を行うＲＦ部、３１０は電波を送受信するアンテナ、３１１はＢｌｕｅｔｏｏｔｈの送信データの変調及び、受信データの復調を行う変復調、及びその他のベースバンド信号処理を行うベースバンド処理部、３１２はＢｌｕｅｔｏｏｔｈでデータ通信を行うさいのデータの誤り検出、訂正処理を行うデータ通信処理部、３１３は無線通信端末１０６と制御信号の通信を行う制御信号通信処理部、３１４は画像信号の圧縮処理を行う画像信号圧縮処理部、３１５はレンズ、３１６はレンズに入力された撮像を画像入力信号として処理して、画像信号圧縮処理部３１４で処理できる画像信号に変換処理する画像入力処理部である。
【００２２】
次に本発明の実施例の動作について説明する。
【００２３】
図４は、本発明の実施例を説明するための動作フロー図である。
【００２４】
ここでは、一例として、監視カメラ装置１０７は無線通信端末操作者の自宅の中に設置されていて、操作部２１８の所定の操作により、操作者の自宅玄関前の位置が設定され、この情報を制御部２０８で管理している状態として説明する。
【００２５】
無線通信端末１０６は常にＧＰＳ受信部２１５の受信した信号をもとに、位置算出部２１７で位置情報を算出している（Ｓ４０１）。
【００２６】
ＧＰＳ受信部２１５の受信した信号をもとに、位置算出部２１７で算出した位置情報が、自宅玄関前になった事を検出すると（Ｓ４０２）、制御部２０８はその旨を制御信号通信処理部２１３に通知する。制御信号通信処理部２１３は監視カメラ装置１０７に発呼するように送信処理部２０５、受信処理部２０６を制御する。
【００２７】
監視カメラ装置１０７に対して発呼して（Ｓ４０３）、監視カメラ装置１０７が着信すると（Ｓ４０４）、監視カメラ装置１０７は無線通信端末１０６からの着信であるかを調べるため、送信されてきた発信者番号を確認する。なお、ここでは、あらかじめ無線通信端末１０６の発信者番号が登録されているとして説明する。
【００２８】
そして、無線通信端末１０６からの着信であれば（Ｓ４０５）、無線通信端末１０６からの制御データの受信待ちになる。
【００２９】
次に無線通信端末１０６は監視カメラ装置１０７が着信に応答した事を検出すると（Ｓ４０６）、制御信号通信処理部２１３は監視カメラ装置１０７にＢｌｕｅｔｏｏｔｈ通信部の動作起動要求の制御信号を送る（Ｓ４０７）。
【００３０】
監視カメラ装置１０７では、制御信号通信処理部２１３がこの制御信号を受信したことを検出すると（Ｓ４０８）、その旨を制御部３０８に通知する。制御部３０８はＢｌｕｅｔｏｏｔｈの通信部であるＲＦ部３０９、ベースバンド処理部３１１、データ通信処理部３１２が所定の時間動作するように制御する（Ｓ４０９）。
【００３１】
次に操作者が画像通信を行うために所定の操作を行うと、制御部２０８はＢｌｕｅｔｏｏｔｈの通信部であるＲＦ部２０９、ベースバンド処理部２１１、データ通信処理部２１２が所定の時間動作するように制御する。
【００３２】
そして、無線通信端末１０６からＢｌｕｅｔｏｏｔｈによる無線通信で、監視カメラ装置１０７に画像送信要求のコマンド信号を送る（Ｓ４１０）。監視カメラ装置１０７はこの信号を受信すると、撮像している画像信号をＢｌｕｅｔｏｏｔｈによる無線通信により、無線通信端末１０６に送る（Ｓ４１１）。無線通信端末１０６はこの画像信号を受信して、表示部２１９に順次、表示する（Ｓ４１２）。
【００３３】
本実施例では監視カメラ装置１０７において、無線通信端末１０６からの着信であるかを調べるために、発信者番号の確認をしたが、別の方法、例えばパスワード送信等でも構わない。
【００３４】
また、無線通信端末１０６の所定の操作により、無線通信端末１０６の制御部２０８は、Ｂｌｕｅｔｏｏｔｈの通信部であるＲＦ部２０９、ベースバンド処理部２１１、データ通信処理部２１２が所定の時間動作するように制御する代わりに、無線通信端末１０６が所定の位置になった時に、制御部２０８がＢｌｕｅｔｏｏｔｈの通信部であるＲＦ部２０９、ベースバンド処理部２１１、データ通信処理部２１２が所定の時間動作するように制御するようにしても良い。
【００３５】
（他の実施例）
上記実施例では、無線通信の媒体としてＩＭＴ−２０００を用いたが、他の無線通信の媒体でも全く同様な動作ができ、同様な効果がある。
【００３６】
【発明の効果】
以上説明したように、本発明によると、公衆無線基地局と無線通信回線を介して通信する画像通信機能を有する無線通信端末と無線監視カメラ装置からなる監視カメラシステムにおいて、前記無線通信端末に、近距離無線通信手段と、位置情報取得手段と、前記無線監視カメラ装置に制御信号を送信する制御信号送信手段と、前記無線通信端末が所定の位置にいることを検出して、前記制御信号送信手段から前記制御信号を送信させる制御手段を設け、前記無線監視カメラ装置に、近距離無線通信手段と、前記無線通信端末から送信される制御信号を受信する制御信号受信手段と、前記制御信号を受信すると、前記近距離無線通信手段を所定の時間動作するように制御する制御手段を設け、さらに前記無線通信端末に前記無線通信端末の所定の操作により、前記近距離無線通信手段を所定の時間動作するように制御する制御手段を設けたので、無線通信端末が所定の位置にいる場合は、簡単な操作で通信料金を必要とせずに近距離無線通信手段を使用して画像を見ることができる。そして、特に無線監視カメラ装置の消費電力も削減できる。そのため、無線監視カメラ装置が長時間のバッテーリー動作が可能になり、使用形態によっては電源コードが必要なくなることが多くなり、設置が簡単になる。
【００３７】
また、前記無線通信端末に、前記無線通信端末が所定の位置にいることを検出した場合は、前記近距離無線通信手段を所定の時間動作するように制御する制御手段を設けたので、さらに簡単な操作で通信料金を必要とせずに近距離無線通信手段を使用して画像を見ることができる。
【００３８】
以上のような極めて優れた効果がある。
【図面の簡単な説明】
【図１】本発明を実施したシステムの構成図
【図２】無線通信端末のブロック図
【図３】監視カメラ装置のブロック図
【図４】本発明の実施例を説明するための動作フロー図
【符号の説明】
１０１  公衆網
１０２、１０３  通信回線
１０４、１０５  無線基地局
１０６  無線通信端末
１０７  監視カメラ装置
２０１  無線通信端末本体部
２０２  ＲＦ部
２０３  アンテナ
２０４  変復調部
２０５  送信処理部
２０６  受信処理部
２０７  データ通信処理部
２０８  制御部
２０９  ＲＦ部
２１０  アンテナ
２１１  ベースバンド処理部
２１２  データ通信処理部
２１３  制御信号通信処理部
２１４  画像信号伸張処理部
２１５  ＧＰＳ受信部
２１６  アンテナ
２１７  位置算出部
２１８  操作部
２１９  表示部
３０１  監視カメラ装置本体部
３０２  ＲＦ部
３０３  アンテナ
３０４  変復調部
３０５  送信処理部
３０６  受信処理部
３０７  データ通信処理部
３０８  制御部
３０９  ＲＦ部
３１０  アンテナ
３１１  ベースバンド処理部
３１２  データ通信処理部
３１３  制御信号通信処理部
３１４  画像信号圧縮処理部
３１５  レンズ
３１６  画像入力処理部
【図１】
2004200998.tif 000003
【図２】
2004200998.tif 000004
【図３】
2004200998.tif 000005
【図４】
2004200998.tif 000006